(57)【要約】【課題】コストの増加なしに容易且つ迅速に設置することができ、水が押し寄せた初期の段階から、装置の重量が確実に増加して、水密性が向上すると共に固定具等を用いなくとも流されることがない、浸水の危険性が極めて低い止水装置を提供する。【解決手段】一方から他方への水の浸入を阻止する止水装置１０であって、上記止水装置１０の内部に水を導入する開口部４が、止水装置１０の下部であって水の浸入側に形成されている構成とする。開口部４より水が導入されることにより、止水装置１０の重量が増し、設置面に対して装置を鉛直方向に押し付ける力が作用する。従って、安定感と水密性が向上し、別途固定具等を用いなくとも、流される心配なくして止水装置１０を設置することができる。【選択図】図１
2019206913.tif 000002
【特許請求の範囲】
【請求項１】
一方から他方への水の浸入を阻止する止水装置であって、
上記止水装置の内部に水を導入する開口部が、止水装置に形成されており、
上記止水装置が縦止水面材と枠材とを備え、該枠材は中空筒状のものであって、上記縦止水面材に対向して縦止水面材を挿入する挿入部が形成されていると共に、上記開口部と上記挿入部が、枠材の内部で連通していることを特徴とする止水装置。
【請求項２】
上記開口部が上記枠材の縦枠の下部であって水の浸入側に形成されていることを特徴とする請求項１に記載の止水装置。
【請求項３】
上記開口部が複数形成されており、少なくとも２つの開口部が連通していることを特徴とする請求項１又は請求項３に記載の止水装置。
【発明の詳細な説明】
【技術分野】
【０００１】
本発明は、止水装置に関し、更に詳しくは、一方から他方への水の浸入を、シンプルな構造の装置を用いて確実に阻止することのできる止水装置に関するものである。
【背景技術】
【０００２】
昨今、地球温暖化が要因の一つとされる異常気象に伴い、各地で短時間の記録的なゲリラ豪雨が頻発している。周知のように、都市部では道路の舗装化が進んでおり、降雨した雨水は殆ど地中に浸透することなく、下水道施設から河川へと一気に流入するため、短時間で河川が氾濫したり下水道施設から雨水が噴き出したりして、各地で床下浸水や床上浸水などの甚大な被害を出している。
【０００３】
従来、このような水害時には、土嚢を建物や地下の出入口等に積み上げて遮水壁を作り、建物等の内部への浸水を防いでいた。しかしながら、土嚢は非常に重いため、積み上げ作業には大変な労力を要し、また、嵩張るため保管場所の確保も容易ではなかった。しかも、上記のように、昨今の水害は短時間の内に被害が出ることが多く、土嚢を保管場所から運び出して積み上げる作業に時間を要すると、遮水壁を構築するまでに浸水してしまうことも珍しくなかった。
【０００４】
かかる事情に鑑みて、Ｌ字型の遮水板の水平面に補給式吸水シートを取付けると共に、遮水板の立設面に自給式吸水シートを取付けてなる遮水装置が提案されている（特許文献１）。
【０００５】
上記特許文献１の遮水装置は、吸水シートが水分を吸収していない状態では、比較的軽量のため、従来のように、多数の土嚢を保管場所から運び出して遮水壁を構築するという重労働から解放されるものであった。また、その機能面においても、装置を設置した際に、補給式吸水シートの注入口より水を注入することにより重量が増して、安定感と水密性が向上し、水位が自給式吸水シートまで達すると、自給式吸水シートが水を吸水して重量がより一層増加し、それに伴い安定感と水密性がさらに向上するというものである。
【先行技術文献】
【特許文献】
【０００６】
【特許文献１】特開２００１−１４０２３５号公報
【発明の概要】
【発明が解決しようとする課題】
【０００７】
しかしながら、上記特許文献１の遮水装置は、装置を設置する際に、補給式吸水シートの注入口より水を注入するという工程が必要となるため、その分の余計な時間と手間がかかるという問題があった。また、吸水シートに水が吸収されるようにするためには、高分子吸収剤や膨縮可能な透水性の袋などの特殊材料を用いる必要があることから、コストがかかるという問題もあり、さらに、吸水シートの吸水性能は、高分子吸収剤に依存することから、吸水性能が一定せずに不安が残るものであった。
【０００８】
本発明は上記の問題に鑑みてなされたもので、その解決しようとする課題は、コストの増加なしに容易且つ迅速に設置することができ、水が押し寄せた初期の段階から、装置の重量が確実に増加して、水密性が向上すると共に固定具等を用いなくとも流されることがない、浸水の危険性が極めて低い止水装置を提供することにある。
【課題を解決するための手段】
【０００９】
上記目的を達成するため、本発明に係る止水装置は、一方から他方への水の浸入を阻止する止水装置であって、上記止水装置の内部に水を導入する開口部が、止水装置に形成されており、上記止水装置が縦止水面材と枠材とを備え、該枠材は中空筒状のものであって、上記縦止水面材に対向して縦止水面材を挿入する挿入部が形成されていると共に、上記開口部と上記挿入部が、枠材の内部で連通していることを特徴とするものである。
【００１０】
本発明の止水装置においては、上記開口部が上記枠材の縦枠の下部であって水の浸入側に形成されていることが好ましい。また、上記開口部が複数形成されており、少なくとも２つの開口部が連通していることが好ましい。
【発明の効果】
【００１１】
本発明の止水装置は、止水装置の水が浸入する側の下部に、内部に水を導入する開口部が形成されているため、水害時は押し寄せた水が該開口部より導入されて止水装置の重量が増加する。装置の重量が増加すると、設置面に対して装置を鉛直方向に押し付ける力が作用し、安定感が増すと共に水密性も向上することから、別途固定具等を用いなくとも、流される心配なくして止水装置を設置することができる。このように本発明は、注入口より水を注入する工程を省くことができ、単に建物や地下の出入口等の前に装置を載置するという容易な作業で浸水を確実に防ぐことができるため、短時間の内に多くの被害をもたらす昨今の水害にも十分に対応することができる。また、従来のように、高分子吸収剤等の特殊な材料を必要としないため、余計なコストがかからず、吸水性能を特殊な材料に依存することがないため、水が押し寄せた初期の段階から、安定的に浸水を防ぐことができる。
【００１２】
また、上記開口部が止水装置の前面側に形成されている止水装置は、最も水が浸入し易い位置に開口部が形成されているため、水が押し寄せた初期の段階から、より確実に水を止水装置の内部に導入して、重量を増加させることができる。
【００１３】
さらに、上記止水装置が縦止水面材と枠材とを備え、該枠材は中空筒状のものであって、その上端部に上記縦止水面材を挿入する挿入部が形成されていると共に、前面側に開口部が形成されており、上記開口部と上記挿入部が、枠材の内部で連通している止水装置は、次のようなメリットがある。即ち、止水装置において、水が押し寄せた際に、最も水圧が加わる部分は装置の下端部である。そこで、止水装置を縦止水面材と枠材から構成し、水圧が最も加わる下端部に位置する枠材を高強度の材料で形成し、枠材程の強度が必要と
されない縦止水面材を軽量な材料で形成することにより、水圧に十分に耐え得る装置を、最大限軽量に製造することが可能となる。勿論、枠材と縦止水面材とは、開口部及び挿入部で連通していることから、導入された水により装置の重量は確実に増加して、安定感に問題もない。
【００１４】
また、水害とは、常に一定方向から水が押し寄せてくるとは限らないものであり、開口部が１つしか形成されて装置の場合には、水が上手く装置内部に導入されない恐れも生じるが、上記開口部が複数形成されており、少なくとも２つの開口部が連通している止水装置のように、開口部が複数形成されていると、どの方向から水が押し寄せてきたとしても、装置内部に水を導入することができる。そして、少なくとも２つの開口部が連通しているため、１つの開口部から導入された水は、連通するもう１つの開口部まで導かれ、例えば、装置の右側だけが重く、左側は軽いなど、重量バランスが狂うといった不具合を生じることもない。
【図面の簡単な説明】
【００１５】
【図１】本発明の一実施形態に係る止水装置を示す概略分解斜視図である。
【図２】同止水装置の端板を外した状態の概略側面図である。
【図３】同止水装置の端板を外して折り畳んだ状態を示す概略側面図である。
【図４】図１のＡ−Ａ線断面図である。
【図５】本発明の他の実施形態に係る止水装置を示す斜視図である。
【図６】図５のＢ−Ｂ線断面図である。
【図７】同止水装置の開口部を別の箇所に形成した形態を示す概略部分断面図である。
【図８】本発明の更に他の実施形態に係る止水装置を示す斜視図である。
【図９】本発明の更に他の実施形態に係る止水装置を示す斜視図である。
【図１０】本発明の更に他の実施形態に係る止水装置を示すものであって、止水装置同士を連結した状態の斜視図である。
【図１１】本発明の更に他の実施形態に係る止水装置を示す斜視図である。
【図１２】本発明の更に他の実施形態に係る止水装置を示す斜視図である。
【図１３】本発明の更に他の実施形態に係る止水装置を示す斜視図である。
【図１４】本発明の更に他の実施形態に係る止水装置を示す斜視図である。
【発明を実施するための形態】
【００１６】
以下、図面を参照して本発明の具体的な実施形態を詳述する。
【００１７】
図１に示す本発明の止水装置１０は、縦止水面材１と枠材２と横止水面材３とを備えた略Ｌ字型をした装置であって、一方から他方への水の浸入を阻止するために、例えば建物や地下の出入口等の柱体８，８間に設置されるものである。
ここで一方とは、水の浸入側（押し寄せてくる側）のことをいい、他方とは、水の被浸入側（本実施形態では屋内側）のことをいう。
【００１８】
上記縦止水面材１は、淡く着色された透光性樹脂を押出成形した平面パネルであって、１対の表面材の間に、複数の隔壁部（横の隔壁部、縦の隔壁部、斜めの隔壁部）を形成することにより、縦止水面材１の鉛直方向に貫通する多数の中空部が形成されたものである。このように横、縦、斜めの隔壁部によって多数の中空部を形成すると、縦止水面材１が軽量且つ高強度な中空構造となるため、保管場所からの持ち運びや設置作業に要する労力を大幅に軽減するだけでなく、後述するように、その内部に水を導入することで、止水装置１０の重量を増加させることができるようになる。また、縦止水面材１が透光性を有するため、水の被浸入側（ここでは屋内側）から、水位を容易に把握することができるようにもなっている。本実施形態の縦止水面材１は、軽量なポリカーボネート樹脂により成形されているが、その他にも塩化ビニル樹脂やポリアミド樹脂等の合成樹脂で成形してもよ
く、重量が増加するため運搬性等が多少劣ることになるが、ステンレスやアルミなどの金属製のものであってもよい。
【００１９】
上記の縦止水面材１は、図２に示すように、枠材２により保持されている。この枠材２は、その上端部に縦止水面材１の下端部を挿入（嵌挿）する、凹空状の挿入部２ａが形成された中空筒状のものであって、図１に示すように、その前面側、即ち、水の浸入側には、止水装置１０の内部に水を導入するための開口部４が複数（本実施形態では３つ）形成されている。この開口部４は、枠材２の前面側を方形状に切り欠くことにより形成されたものであり、上記のように、枠材２が中空筒状であることから、これら３つの開口部４は、枠材２内部で全て連通している。枠材２の体積がおおよそ１０００〜７０００ｃｍ３であるため、枠材２内部が導入された水によって満水になると、１〜７ｋｇ程度、枠材２の重量が増加することとなる。
なお、開口部４は、水を導入し易い形状であれば、本実施形態のように、方形状に限定されるものではなく、円形やその他の形状であっても構わないものであり、その個数も必要に応じて適宜増減すればよい。また、開口部４を形成する箇所は、水の浸入側であれば枠材２の前面側に限定されるものではない。例えば止水装置１０の側面下部であってもよく、前面側と側面の双方に形成してもよい。この開口部４を止水装置１０の側面下部に形成する場合は、後述する端板５に方形状又は円形状の孔を穿孔すればよいのであって、端板５の開口部４より導入された水は、枠材２内部から縦止水面材１の中空部にも導入されるようになる。
【００２０】
上記開口部４と挿入部２ａは、図４に示すように、枠材２の内部で連通している。従って、水害時に、開口部４より導入された水は挿入部２ａに達し、その挿入部２ａに挿入される上記縦止水面材１が、多数の中空部が形成されたものであることと相俟って、該水は挿入部２ａを経由して、さらに縦止水面材１の内部にも導入される。上記のように、枠材２は、縦止水面材１を挿入する挿入部２ａが形成されている関係から、その上端は開口しているが、下端は底板２ｂにより閉口しているため、止水装置１０は枠材２と縦止水面材１の内部に導入された水の重さ分だけ重量が増加する。従って、止水装置１０の自重に導入された水の重さがプラスされた重量分が底板２ｂに加わり、その底板２ｂにより設置面（地面）を押圧する力が作用するため、土嚢等と比較すると遥かに軽量であるにも拘わらず、固定具等を用いなくとも水流に負けて止水装置１０が流されてしまう心配がない。
【００２１】
また、上記枠材２の内部には、図２等に示すように、縦止水面材１の下端面を受ける面材受け片２ｃが形成されており、その面材受け片２ｃの上側には、縦止水面材１を挟持する小凸条２ｄが、枠材２の幅方向に亘って形成されている。さらに、枠材２内部の略真ん中には、水平中間板２ｅが形成されており、枠材２に求められる強度を確保している。これら面材受け片２ｃ、小凸条２ｄ、水平中間板２ｅは、枠材２の幅方向全域に亘って形成されている必要はなく、部分的に途切れていても構わないものであって、本実施形態では、図４に示すように、上記開口部４の位置には形成されていない。
【００２２】
上記構成の枠材２は、縦止水面材１を保持することから、縦止水面材１の重量を支えるだけの強度が必要となる。また、水害時には、縦止水面材１に加わった水圧により、縦止水面材１が撓まないように保持するだけの強度と、開口部４より導入された水の重量増加分にも耐え得る強度（特に底板２ｂ）も必要となる。さらに、一方の回動連結部２ｆには、縦止水面材１が水圧により後方（他方）に倒れようとする力が加わるため、その際に破損しないだけの十分な強度も必要となる。このように、枠材２は、止水装置１０において、最も強度が求められることから、合成樹脂製のものでも構わないが、アルミ、ステンレス等の金属製のものが好ましい。
【００２３】
図２に示すように、枠材２の前面側の下端部と底板２ｂの前端部が切り欠かれ、この切り欠かれた枠材２の下端前面側から底面前面側に亘って一方の回動連結部２ｆが一体に形成されている。そして、この一方の回動連結部２ｆと、後述する横止水面材３に形成された他方の回動連結部３ａとが、互いに回動可能に連結されている。また、枠材２の両側面には、端板５を取付けるためのビス穴２ｇが形成されており、枠材２の側面に端板５を配置し、ビス穴２ｇにビス５ａをねじ込み固定することによって、枠材２の開口した側面が覆われている。
【００２４】
上記枠材２に形成された一方の回動連結部２ｆは、図１、図２に示すように、枠材２の底板２ｂの前端上側に一体に形成された前側が開放する略半円外筒部２０ｆと、この略半円外筒部２０ｆの上端に形成された当止部２１ｆ（他方の回動連結部３ａの略半円筒部３ｂの後端を当止する当止部）と、この当止部２１ｆの先端に形成された後方斜め下側が開放する略半円小筒部２２ｆと、この略半円小筒部２２ｆの後端から枠材２の下端に連なるように形成された前側が開放する収容部２３ｆ（他方の回動連結部３ａの略半円筒部３ｂの厚肉化された前半部３ｃを収容する収容部）とを備えたものである。
【００２５】
これに対して、上記枠材２に連結される横止水面材３は、アルミ、ステンレス等の金属で成形された方形の板体であって、横止水面材３の後端上面側には、図２に示すように、上記枠材２に形成された一方の回動連結部２ｆと互いに回動可能に連結される他方の回動連結部３ａが、横止水面材３の全幅に亘って一体に形成されている。
【００２６】
この他方の回動連結部３ａは、図２に示すように、横止水面材３の後端上面側に一体に形成された上側が開放する略半円筒部３ｂと、この略半円筒部３ｂの後半部の内面から求心方向に突出する突出部３ｃと、この突出部３ｃの先端に一体に形成された丸棒状の回動中心部３０とを備えたものであって、略半円筒部３ｂの前半部３ｄは厚肉化されている。
【００２７】
一方の回動連結部２ｆと他方の回動連結部３ａは、一方の回動連結部２ｆの内側空間（即ち、略半円外筒部２０ｆと当止部２１ｆと略半円小筒部２２ｆによって囲まれる内側空間）に、他方の回動連結部３ａ（即ち、略半円筒部３ｂの厚肉化されていない後半部と突出部３ｃと回動中心部３０）を、一方の回動連結部２ｆのいずれか一端から挿入することによって、互いに回動可能に且つ前後方向に外れないように連結されており、一方の回動連結部２ｆの内側空間から他方の回動連結部３ａを引き抜くと連結が解除されるようになっている。
【００２８】
上記のように、一方の回動連結部２ｆと他方の回動連結部３ａを連結し、回動させて縦止水面材１を真上に９０°起立させた図２の状態では、他方の回動連結部３ａの略半円筒部３ｂの厚肉化されていない後半部が一方の回動連結部２ｆの略半円外筒部２０ｆで受けられ、略半円筒部３ｂの後半部の外面が略半円外筒部２０ｆの内面に回動可能に摺接している。そして、他方の回動連結部３ａの回動中心部３０は一方の回動連結部２ｆの略半円小筒部２２ｆで受けられ、回動中心部３０の外面が略半円小筒部２２ｆの内面に回動可能に摺接している。しかし、他方の回動連結部３ａの略半円筒部３ｂの厚肉化された前半部３ｄは一方の回動連結部２ｆの収容部２３ｆに収容されてなく、また、略半円筒部３ｂの後端も一方の回動連結部２ｆの当止部２１ｆで当止されていない。
【００２９】
この図２の状態から縦止水面材１を前方に倒すと、枠材２の一方の回動連結部２ｆが横止水面材３の他方の回動連結部３ａの回動中心部３０の周りに回動し、図３に示すように、他方の回動連結部３ａの略半円筒部３ｂの厚肉化された前半部３ｄが一方の回動連結部２ｆの収容部２３ｆに収容されて、縦止水面材１が横止水面材３の上に重なって折り畳まれる。このように縦止水面材１を横止水面材３の上に折り畳むと、止水装置１０の嵩が低くなり、複数の止水装置を積み重ねてコンパクトに保管したり運搬することが可能となる。
【００３０】
上記のような横止水面材３に水圧（下方に押圧する力）が加わると、その水圧は他方の回動連結部３ａから一方の回動連結部２ｆを介して枠材２の底板２ｂに伝わり、止水装置１０をより強く下方に押圧する力が作用する。これに枠材２の内部に導入された水の重量増加分をプラスして、止水装置１０を強固に設置面に押圧するため、より安定的に止水装置１０を設置することができる。
【００３１】
以上のような構成の止水装置１０は、図１に示すように、縦止水面材１の両側に略凹型の縦枠６，６を取付けると共に、縦止水面材１の上端に略凹型の横枠７を取付けて、建物や地下の出入口等の両側にある柱体８，８との間に設置される。水害時には、縦止水面材１の内部にも水が導入されることから、横枠７により中空部を完全に塞いでしまうと空気が抜けず、水が入ってこない。従って、縦止水面材１の上端と横枠７との間には少しの隙間を設けるか、或いは、別途空気抜き孔等を設けることが好ましい。また、縦止水面材１の背面に止水パッキン９を設け、柱体８，８との間の水密性を向上させることが好ましい。図示はしないが、横止水面材３と設置面との間にも、止水パッキン９を設けてもよい。勿論、本発明の設置される場所は、柱体８，８間により形成される出入口等に限られるものではなく、水の浸入を阻止したいありとあらゆる箇所に設置できるものであることは言うまでもない。
【００３２】
本発明の止水装置１０は、設置する場所の大きさに合致する寸法のものを用いればいいものであり、特に限定されるものではないが、運搬性や主に設置される場所の広さ等を考慮すると、概ねその高さが２０〜１００ｃｍ（本実施形態では５０ｃｍ）、幅が５０〜２５０ｃｍ（本実施形態では１００ｃｍ）程度のものが好適に用いられる。
【００３３】
上記の説明から明らかなように、本発明の止水装置１０は、水が浸入する枠材２の前面側の下部に、内部に水を導入する開口部４が形成されているため、水害時に押し寄せた水は該開口部４より止水装置１０の内部（枠材２内部及び縦止水面材１内部）に導入されて、導入された水の重量分だけ止水装置１０の重量が増加する。従って、設置面に対して止水装置１０を鉛直方向に押し付ける力が作用し、安定感が増して水密性も向上することから、別途固定具等を用いなくとも、流される心配なくして止水装置１０を設置することができる。このように本発明は、従来のような注入口より水を注入する工程等を省くことができ、単に建物や地下の出入口等の前に装置を載置するという容易な作業で浸水を確実に防ぐことができるため、短時間の内に多くの被害をもたらす昨今の水害にも十分に対応することができ、また、特殊な吸水材料を必要としないため、余計なコストがかからず、吸水性能を特殊な吸水材料に依存することがないため、水が押し寄せた初期の段階から、安定的に浸水を防ぐことができる。
【００３４】
図５は本発明の他の実施形態に係る止水装置を示す斜視図、図６は図５のＢ−Ｂ線断面図、図７は同止水装置の開口部を別の箇所に形成した形態を示す概略部分断面図である。
【００３５】
本実施形態の止水装置１０は、縦止水面材１と枠材２を備えたものであり、前述した図１〜図４に示す止水装置１０とは異なり、横止水面材３は用いずに一方から他方への水の浸入を阻止するものである。
【００３６】
この縦止水面材１は、前述した図１〜図４に示す止水装置１０の縦止水面材１と同様に、１対の表面材の間に、複数の隔壁部（横の隔壁部、縦の隔壁部、斜めの隔壁部）が形成された、鉛直方向に貫通する多数の中空部が形成されたものであって、本実施形態の止水装置１０は、前述した図１〜図４に示す止水装置１０よりも小型のものであることから、図１に示す縦止水面材１よりも中空部の数が少なく、幅狭となっている。
【００３７】
また、図６に示すように、枠材２も前述した図１〜図４に示す実施形態と同様、その上端部に、縦止水面材１の下端部を挿入する凹空状の挿入部２ａが形成されると共に、下端は底板２ｂによって閉口した中空筒状のものであって、図５に示すように、その前面側の下部には、２つの開口部４が形成されている。この開口部４も、枠材２の前面側を方形状に切り欠くことにより形成されたものであり、これら３つの開口部４は、枠材２内部で全て連通しており、挿入部２ａとも連通している。
【００３８】
同様に、上記枠材２の内部には、縦止水面材１の下端面を受ける面材受け片２ｃが形成されており、その面材受け片２ｃの上側には、縦止水面材１を挟持する小凸条２ｄが、枠材２の幅方向に亘って形成されている。本実施形態の止水装置１０は、水を導入する開口部４が底板２ｂの真上に形成されていることから、前述した図１〜図４に示す実施形態とは異なり、枠材２の強度を確保する水平中間板２ｅは形成されていない。この止水装置１０は、前述した止水装置１０よりも小型のものであることから、強度的に問題が生じることは少ないものであるが、所々で左側の面材受け片２ｃと右側の面材受け片２ｃを連結して強度を確保してもよく、或いは、図７に示すように、面材受け片２ｃを形成せずに、縦止水面材１の下端面を底板２ｂの上に載置することにより、枠材２の強度を確保してもよい。この際、単に枠材２の挿入部２ａに上記縦止水面材１を挿入するだけでは、開口部４が殆ど塞がれて水が導入されなくなるため、縦止水面材１の前面側の下部に、水を導入する連通孔１ａを設ける必要がある。
【００３９】
上記のように、本実施形態の止水装置１０は横止水面材３を用いないものであるため、枠材２には、前述した実施形態のような、一方の回動連結部２ｆは設けられていない。そのため、設置面に対して下方へ押し付ける力は若干劣ることになるが、軽量であるため運搬性に優れ、例えば柱体８等の立設物に立て掛けるようにして用いれば一切の問題は生じない。
本実施形態の止水装置１０のその他の構成は、前述した図１〜図４に示す実施形態の止水装置１０と同様であるので、同一部材に同一符号を附して説明を省略する。
【００４０】
図８は本発明の更に他の実施形態に係る止水装置を示す斜視図である。
【００４１】
この実施形態の止水装置１０も、縦止水面材１と枠材２を備えたものであり、縦止水面材１は、前述した図１〜図４に示す実施形態のものと同様に、１対の表面材の間に、複数の隔壁部（横の隔壁部、縦の隔壁部、斜めの隔壁部）からなる多数の中空部が形成されたものを用いているが、該実施形態とは異なり、中空部が水平方向に貫通するようにして用いられる（つまり９０°回転させて用いている）。
【００４２】
上記縦止水面材１を保持する枠材２は、図８に示すように、底板２ｂに対して天板の面積が小さい台形状をしたものであり、その内部は中空状となっている。このように枠材２を台形状にすることによって、枠材２が倒れ難くなるのは勿論のこと、水害時に枠材２に水圧が加わると、下方へ押圧する力が、方形状の枠材２に比較すると強く作用することから、止水装置１０がより安定的に設置されるようになる。
【００４３】
また、枠材２内側面の上端部から下端部にかけて、上記縦止水面材１を挿入する凹型の挿入部２ａが鉛直方向に延びるように形成されている。そして、枠材２の前面側の下部には、方形状の開口部４が形成されており、枠材２の内部に押し寄せた水を導入できるようになっている。このとき、縦止水面材１を保持する挿入部２ａに貫通孔を設けていると、開口部４より導入された水が、貫通孔を経由して縦止水面材１にも流入するようにできる。
本実施形態の止水装置１０のその他の構成は、前述した図１〜図４に示す実施形態の止水装置１０と同様であるので、同一部材に同一符号を附して説明を省略する。
【００４４】
この止水装置１０は、縦止水面材１と一対の枠材２，２を備えていることから、運搬性等は多少犠牲になるが、内部に導入する水の容量が非常に多いため、止水装置１０をより安定的に設置することができ、例えば建物や地下の出入口等だけでなく、防水扉などとしても用いることができる。
【００４５】
図９は本発明の更に他の実施形態に係る止水装置を示す斜視図である。
【００４６】
本実施形態の止水装置１０は、縦止水面材１のみを備えたものであり、前述したような枠材２、横止水面材３は用いない態様である。
【００４７】
この縦止水面材１は、前述した図８に示す実施形態と同様に、１対の表面材の間に、複数の隔壁部（横の隔壁部、縦の隔壁部、斜めの隔壁部）により形成された多数の中空部が、水平方向に貫通するようにして用いられるものである。上記のように、本実施形態では、枠材２等を用いないため、枠材２に形成された水を導入する開口部４も存在しないが、縦止水面材１には多数の中空部が形成されているため、その中空部が開口部４となり、そこから止水装置１０の内部に水が導入されるようになっている。勿論、この側面の開口部４の他にも、縦止水面材１の前面側の下部に、別途開口部４を形成してもよいことは言うまでもない。
本実施形態の止水装置１０のその他の構成は、前述した図１〜図４に示す実施形態の止水装置１０と同様であるので、同一部材に同一符号を附して説明を省略する。
【００４８】
上記実施形態のように、本発明の止水装置１０は、縦止水面材１のみからでも構築することができ、このような縦止水面材１からなる止水装置１０は、非常に簡易（柱体８，８等に立て掛けるだけ）に設置することができる。また、水を導入する開口部４は、前述した実施形態のように装置の前面側だけでなく、側面側に形成しても内部に水を導入することができる。
【００４９】
図１０は本発明の更に他の実施形態に係る止水装置を示すものであって、止水装置同士を連結した状態の斜視図である。
【００５０】
図１０は、複数の止水装置１０を左右に連結する態様を示すものであって、より広範囲の浸水を防止する態様である。この縦止水面材１も前述した図９に示す実施形態と同様に、縦止水面材１の中空部が水平方向に貫通するようにして用いる。
【００５１】
本実施形態の縦止水面材１は、枠材２の挿入部２ａに挿入されて保持されており、縦止水面材１の左右両側面には、略コ字状の縦枠６が取付けられている。このような止水装置１０を左右に連結するには、一方の止水装置１０の側面（縦枠６）を、他方の止水装置１０の側面（縦枠６）に突き合わせて、連結固定具１１により固定する。この連結固定具１１は、止水装置１０，１０を左右に簡単且つ確実に連結できるものであればどのような形態のものでもよい。そして、図１０に示すように、相対面する止水装置１０，１０に取付けられた縦枠６，６の間には、止水性を向上させるための止水パッキン９が介在されており、連結箇所からの浸水を防止している。
【００５２】
この止水装置１０も、上記のように、縦止水面材１の中空部が水平方向に貫通している。これを換言すれば、枠材２と縦止水面材１の中空部が連通していないということであり、前述した実施形態のように、枠材２の前面側下部に開口部４を形成しても、枠材２の内部にのみ水が導入されるだけで、縦止水面材１の中空部には水が流入してこない。そこで本実施形態では、図１０に示すように、縦枠６の前面側下部に複数の開口部４を形成し、縦止水面材１の側端面と対向する縦枠６との間に少しの隙間を設けて、縦枠６に形成された開口部４より導入された水が、縦止水面材１の中空部にも流入するようにしている。また、図示はしないが、縦枠６の側面下部（図１０でいう右側の止水装置１０の右側面に取付けられている縦枠６の側面下部、及び、左側の止水装置１０の左側面に取付けられている縦枠６の側面下部）に、方形状又は円形状の孔を穿孔して開口部４を形成することも好ましい。このように縦枠６の下部に開口部４を形成すると、縦止水面材１の中空部が水平方向に貫通していることから、縦枠６の前面側下部に上記のような開口部４を形成しなくとも、縦止水面材１の内部に水を導入することができるようになる。
本実施形態の止水装置１０のその他の構成は、前述した図１〜図４、図９に示す実施形態の止水装置１０と同様であるので、同一部材に同一符号を附して説明を省略する。
【００５３】
以上のように、止水装置１０，１０同士を連結する一例（図９の連結態様）を説明してきたが、例えば図１〜図８に示す止水装置１０においても、同様に連結することができる。このように、止水装置１０を複数連結することにより、水の浸入を阻止する箇所が、広範囲に亘ったとしても対応することができる。
【００５４】
図１１は本発明の更に他の実施形態に係る止水装置を示す斜視図である。
【００５５】
本実施形態の止水装置１０は、図１１に示すように、縦止水面材１と横止水面材３とを備えた略Ｌ字型の装置であって、縦止水面材１には、強度を確保するため必要十分な厚みを有する平板が用いられている。また、横止水面材３には、前述した図１に示す縦止水面材１の中空部が、一方（水の浸入側）に向くように配置したものを用いている。従って、横止水面材３の中空部が開口部４としての役割を果たし、別途開口部４を形成しなくとも、中空部から横止水面材３の内部に水が導入されて、横止水面材３を下方へ押圧する力が作用する。
なお、本実施形態では、複数の隔壁部（横の隔壁部、縦の隔壁部、斜めの隔壁部）が形成されたものを横止水面材３としているが、隔壁部が形成されていない単なる角筒を複数連結したものを横止水面材３とすることもできる。また、枠材２を省略しているが、縦止水面材１の挿入部２ａ、及び、横止水面材３の挿入部２ａが形成された枠材２により、縦止水面材１と横止水面材３を連結しても構わない。
本実施形態の止水装置１０のその他の構成は、前述した図１〜図４に示す実施形態の止水装置１０と同様であるので、同一部材に同一符号を附して説明を省略する。
【００５６】
図１２は本発明の更に他の実施形態に係る止水装置を示す斜視図である。
【００５７】
本実施形態の止水装置１０も、縦止水面材１と横止水面材３とを備えた略Ｌ字型の装置であって、縦止水面材１には、前述した図１１に示す縦止水面材１と同様に、強度を確保するため必要十分な厚みを有する平板が用いられている。また、横止水面材３には、横の隔壁部、縦の隔壁部、斜めの隔壁部によって、中空部が１つだけ形成された方形状の角筒が用いられている。この横止水面材３も、隔壁部が形成されていない単なる角筒を横止水面材３として用いてもよい。
【００５８】
本実施形態のように、横止水面材３が２本の角筒から形成されていると、止水装置１０の重量が非常に軽量なものとなり、さらに運搬性に優れるという利点がある。しかしながら、縦止水面材１と横止水面材３の連結している面積が小さいため、縦止水面材１と横止水面材３の連結強度が弱く、一方（前方）から水圧が加わると、連結が外れて縦止水面材１が他方（後方）に倒れてしまう恐れも生じる。そこで、図１２に示すように、縦止水面材１と横止水面材３を引張具１２により連結することによって、縦止水面材１の倒れを防止している。
本実施形態の止水装置１０のその他の構成は、前述した図１〜図４に示す実施形態の止水装置１０と同様であるので、同一部材に同一符号を附して説明を省略する。
【００５９】
図１３は本発明の更に他の実施形態に係る止水装置を示す斜視図である。
【００６０】
図１３に示す止水装置１０は、方形状の横止水面材３の略中間地点から縦止水面材１が上方に立設された逆Ｔ字型をしたものであり、横止水面材３の前面側に、止水装置１０の内部に水を導入するための開口部４が複数形成されたものである。
【００６１】
このような逆Ｔ字型の止水装置１０は、安定して設置することができ、水圧によって倒れてしまう心配が皆無に等しくなる。
本実施形態の止水装置１０のその他の構成は、前述した図１〜図４に示す実施形態の止水装置１０と同様であるので、同一部材に同一符号を附して説明を省略する。
【００６２】
図１４は本発明の更に他の実施形態に係る止水装置を示す斜視図である。
【００６３】
本実施形態の止水装置１０は、中空状の方形の筐体であって、前面側下部に開口部４が形成されている。この止水装置１０は、一つあたりの体積が小さいため、図１４に示すように、左右に連結するだけでなく、図示はしないが、上下にも連結することで遮水壁を構築していくことも可能となる。
本実施形態の止水装置１０のその他の構成は、前述した図１〜図４に示す実施形態の止水装置１０と同様であるので、同一部材に同一符号を附して説明を省略する。
【００６４】
以上、本発明の種々の態様を詳述してきたが、止水装置１０の水の浸入側に開口部４が形成されているものであれば、本発明の技術的範囲に含まれるものであって、前述した図１〜図１４の実施形態に限定されるものではない。例えば、図１に示す横止水面材３が用いられる態様において、図８〜図１０に示す縦止水面材１の中空部を水平方向に貫通するようにして用いるなど、種々の設計変更を許容し得るものである。
【符号の説明】
【００６５】
１０  止水装置
１    縦止水面材
１ａ  連通孔
２    枠材
２ａ  挿入部
２ｂ  底板
２ｃ  面材受け片
２ｄ  小凸条
２ｅ  水平中間板
２ｆ  一方の回動連結部
２０ｆ  略半円外筒部
２１ｆ  当止部
２２ｆ  略半円小筒部
２３ｆ  収容部
２ｇ  ビス穴
３    横止水面材
３ａ  他方の回動連結部
３ｂ  略半円筒部
３ｃ  突出部
３ｄ  前半部
３０  回動中心部
４    開口部
５    端板
６    縦枠
７    横枠
８    柱体
９    止水パッキン
１１  連結固定具
１２  引張具
【図１】
2019206913.tif 000003
【図２】
2019206913.tif 000004
【図３】
2019206913.tif 000005
【図４】
2019206913.tif 000006
【図５】
2019206913.tif 000007
【図６】
2019206913.tif 000008
【図７】
2019206913.tif 000009
【図８】
2019206913.tif 000010
【図９】
2019206913.tif 000011
【図１０】
2019206913.tif 000012
【図１１】
2019206913.tif 000013
【図１２】
2019206913.tif 000014
【図１３】
2019206913.tif 000015
【図１４】
2019206913.tif 000016